(57)【要約】【課題】仮想店舗等において、生地等の繊維によりシート状に構成される物品の厚さ、風合いを、ユーザに対して、適切に伝えることが可能な画像を撮像し、当該画像に対応する画像データを生成することが可能な撮像システム等を提供する。【解決手段】制御用端末装置４０は、被写体Ｏとなる生地の厚さと同一の厚さを有するサンプル生地における前面照射光量と同一の前面照射光量に設定するとともに、当該サンプル生地における裏面照射光の照射光量と同一になるように前面照明装置１０及び裏面照明装置２０を駆動しつつ、カメラ３０により被写体Ｏの画像を撮像させる。【選択図】図１
2016158158.tif 000002
【特許請求の範囲】
【請求項１】
繊維により構成される物品の画像を撮像し、撮像画像に対応する画像データを生成する画像データ生成システムにおいて、
前記物品を被写体とする画像を撮像し、当該撮像した被写体の画像を画像データとして生成する撮像手段と、
前記被写体を撮像する際に前記物品に光を照射する照明手段と、
前記物品を規定する前記物品の厚さ又は生地の種別毎に、当該物品の厚さ又は当該生地の種別を、質感と同様に、かつ、画像的に認知するための輝度値を含む観察情報が予め記録される記録手段を管理する管理手段と、
前記撮像手段及び前記照明手段を制御する制御手段と、
を備え、
前記制御手段が、
前記撮像を要求する物品のシート厚又は生地種別を取得すると、該当する観察情報に基づいて前記照明手段の照射光量を制御し、当該制御した照射光量に基づいて前記被写体となる物品の画像を撮像させることを特徴とする画像データ生成システム。
【請求項２】
請求項１に記載の画像データ生成システムにおいて、
前記物品の厚さ又は当該生地の種別を画像的に認知するための輝度値として、複数の観察者に対して実施された評価結果であって、前記物品を規定する前記物品の厚さ又は生地の種別毎に、かつ、予め定められた照明条件の下に、物品における生地の薄さに関する評価と、当該生地の厚さに関する評価と、の評価結果に基づいて決定された輝度値を用いる、画像データ生成システム。
【請求項３】
請求項２に記載の画像データ生成システムにおいて、
前記予め定められた照明条件が、他の前記物品の厚さ又は当該生地の種別と同一の条件であり、当該照明条件には、各物品の裏面に照射される照射光量であって段階的に変化する照射光量を規定するため条件を含む、画像データ生成システム。
【請求項４】
請求項１〜３のいずれか１項に記載の画像データ生成システムにおいて、
前記照明手段が、
前記物品の撮像面側から所定の距離を持って光を照射する前面照明部と、
前記撮像面の裏面側から所定の距離を持って光を照射する裏面照明部と、
を含み、
前記制御手段が、
前記該当する観察情報に基づいて前記前面照明部及び前記裏面照明部の照射光量を制御する、画像データ生成システム。
【請求項５】
請求項１〜４のいずれか１項に記載の画像データ生成システムにおいて、
前記撮像された画像をユーザに閲覧可能に提供する提供手段を更に備える、画像データ生成システム。
【請求項６】
繊維により構成される物品の画像を撮像し、撮像画像に対応する画像データを生成するコンピュータを、
前記物品を被写体とする画像を撮像し、当該撮像した被写体の画像を画像データとして生成する撮像手段を制御する撮像制御手段、
前記被写体を撮像する際に前記物品に光を照射する照明手段を制御する照明制御手段、及び、
前記物品を規定する前記物品の厚さ又は生地の種別毎に、当該物品の厚さ又は当該生地の種別を、質感と同様に、かつ、画像的に認知するための輝度値を含む観察情報が予め記録される記録手段を管理する管理手段、
として機能させ、
前記照明制御手段が、
前記撮像を要求する物品のシート厚又は生地種別を取得すると、該当する観察情報に基づいて前記照明手段の照射光量を制御し、
前記撮像制御手段が、
前記制御された照射光量に基づいて前記被写体となる物品の画像を撮像させることを特徴とするプログラム。
【請求項７】
繊維により構成される物品の画像を撮像し、撮像画像に対応する画像データを生成する画像データ生成方法であって、
前記物品を被写体とする画像を撮像し、当該撮像した被写体の画像を画像データとして生成する撮像手段を制御し、
前記被写体を撮像する際に前記物品に光を照射する照明手段を制御し、
前記物品を規定する前記物品の厚さ又は生地の種別毎に、当該物品の厚さ又は当該生地の種別を、質感と同様に、かつ、画像的に認知するための輝度値を含む観察情報が予め記録される記録手段を管理する
ことを含み、
前記撮像を要求する物品のシート厚又は生地種別を取得すると、該当する観察情報に基づいて前記照明手段の照射光量を制御し、
前記制御された照射光量に基づいて前記被写体となる物品の画像を撮像させることを特徴とする画像データ生成方法。
【発明の詳細な説明】
【技術分野】
【０００１】
本発明は、画像データを生成する画像データ生成システム、プログラム及び画像データ生成方法に関する。
【背景技術】
【０００２】
近年、ＷＷＷ（Ｗｏｒｌｄ  Ｗｉｄｅ  Ｗｅｂ）などのネットワーク技術の発展、及び、パーソナルコンピュータやスマートフォンなどに代表される情報通信端末装置（以下、「通信端末装置」という。）の進歩に伴い、これら通信端末装置のユーザは、ネットワーク上に存在する仮想店舗において、衣服、生地、カーテン等の各種商品を購入できるようになっている。
【０００３】
この種の仮想店舗においては、現実空間上の店舗とは異なり、購入希望者が商品に触れることができないので、購入した商品と、購入前のユーザのイメージに齟齬が生じ、商品を購入したユーザの満足度が低くなり、又は、販売された商品が返品されるという事態が発生しかねない。
【０００４】
このため、この種の仮想店舗においては、購入者に、各商品を詳しく理解して貰うため、販売中の各種商品に関する詳細なサイズ、素材等の情報及び商品画像を含む情報（以下、「商品情報」という。）を通信端末装置に配信して、購入の是非を確認するようになっている。
【０００５】
また、最近では、仮想店舗において、実店舗の映像とともに商品に関する動画を配信して、当該動画をユーザに確認させつつ、商品を販売することにより、ユーザが商品を細かくチェックできるようにした商品販売システムも提案されている（例えば、特許文献１）。
【先行技術文献】
【特許文献】
【０００６】
【特許文献１】特開２００３−３０４６９号公報
【発明の概要】
【発明が解決しようとする課題】
【０００７】
しかしながら、特に、仮想店舗にて衣服、生地、又は、カーテン等を販売する場合には、商品の風合い、生地の厚さ等によってユーザの受けるイメージが異なってくるので、上記特許文献１に開示されたシステムのように商品に関する静止画又は動画を通信端末装置に配信するだけでは、画像を見てユーザが感じるイメージと、実際の商品に対してユーザが感じるイメージと、が乖離する可能性があり、この場合には、商品を購入したユーザの満足度を十分に確保することが難しくなる。
【０００８】
本発明は、上記課題を解決するためになされたものであり、その目的は、仮想店舗等など繊維により構成される物品を閲覧させる際に、当該物品の厚さ、風合い及び質感を、ユーザに対して、適切に伝えることが可能な画像データ生成システム等を提供することにある。
【課題を解決するための手段】
【０００９】
（１）上述した課題を解決するため、本発明の画像データ生成システムは、繊維により構成されるシート状の物品の画像を撮像し、撮像画像に対応する画像データを生成する画像データ生成システムにおいて、前記物品を被写体とする画像を撮像し、当該撮像した被写体の画像を画像データとして生成する撮像手段と、前記被写体を撮像する際に前記物品に光を照射する照明手段と、シート厚と当該シート厚を画像的に認知する輝度値とを含む観察情報が記録される記録手段を管理する管理手段と、前記撮像手段及び前記照明手段を制御する制御手段と、を備え、前記制御手段が、前記撮像を要求する物品のシート厚を取得すると、該当する観察情報に基づいて前記照明手段の照射光量を制御し、当該制御した照射光量に基づいて前記被写体となる物品の画像を撮像させる、構成を有している。
【００１０】
この構成より、本発明の画像データ生成システムは、例えば、生地、衣服、カーテン等、繊維により構成される物品に対して、生地の質感を適切に認知可能な照射光量によって物品を撮像することができる。
【００１１】
したがって、本発明の画像データ生成システムは、仮想店舗等など繊維により構成される物品を閲覧させる際に、当該物品の厚さ、風合い及び質感をユーザに対して適切に伝えることができる。
【００１２】
（２）また、本発明の画像データ生成システムは、
前記物品の厚さ又は当該生地の種別を画像的に認知するための輝度値として、複数の観察者に対して実施された評価結果であって、前記物品を規定する前記物品の厚さ又は生地の種別毎に、かつ、予め定められた照明条件の下に、物品における生地の薄さに関する評価と、当該生地の厚さに関する評価と、の評価結果に基づいて決定された輝度値を用いる、
構成を有している
【００１３】
この構成により、本発明の画像データ生成システムは、実際に評価された結果に基づいて、撮像時の照射光量を制御することができるので、物品の厚さ、風合い及び質感をユーザに対して適切に伝えることができる。
【００１４】
（３）また、本発明の画像データ生成システムは、前記予め定められた照明条件が、他の前記物品の厚さ又は当該生地の種別と同一の条件であり、当該照明条件には、各物品の裏面に照射される照射光量であって段階的に変化する照射光量を規定するため条件を含む、構成を有している。
【００１５】
この構成により、本発明の画像データ生成システムは、実際に評価された結果に基づいて、撮像時の照射光量を制御することができるので、物品の厚さ、風合い及び質感をユーザに対して適切に伝えることができる。
【００１６】
（４）また、本発明の画像データ生成システムは、前記照明手段が、前記物品の撮像面側から所定の距離を持って光を照射する前面照明部と、前記撮像面の裏面側から所定の距離を持って光を照射する裏面照明部と、を含み、前記制御手段が、前記該当する観察情報に基づいて前記前面照明部及び前記裏面照明部の照射光量を制御する、構成を有している。
【００１７】
この構成により本発明の画像データ生成システムは、風合い及び質感を認知する上で重要な物品の裏面から照射光量を制御することができるので、物品の厚さ、風合い及び質感をユーザに対して適切に伝えることができる。
【００１８】
（５）また、本発明の画像データ生成システムは、前記撮像された画像をユーザに閲覧可能に提供する提供手段を更に備える、構成を有している。
【００１９】
この構成により、本発明の画像データ生成システムは、撮像した画像に対応する画像データを仮想店舗の運営用サーバ装置等に提供し、仮想店舗上にて、商品情報として利用することができる。
【００２０】
（６）上述した課題を解決するため、本発明のプログラムは、繊維により構成される物品の画像を撮像し、撮像画像に対応する画像データを生成するコンピュータを、前記物品を被写体とする画像を撮像し、当該撮像した被写体の画像を画像データとして生成する撮像手段を制御する撮像制御手段、前記被写体を撮像する際に前記物品に光を照射する照明手段を制御する照明制御手段、及び、前記物品を規定する前記物品の厚さ又は生地の種別毎に、当該物品の厚さ又は当該生地の種別を、質感と同様に、かつ、画像的に認知するための輝度値を含む観察情報が予め記録される記録手段を管理する管理手段、として機能させ、前記照明制御手段が、前記撮像を要求する物品のシート厚又は生地種別を取得すると、該当する観察情報に基づいて前記照明手段の照射光量を制御し、前記撮像制御手段が、前記制御された照射光量に基づいて前記被写体となる物品の画像を撮像させる、構成を有している。
【００２１】
この構成より、本発明のプログラムは、例えば、生地、衣服、カーテン等、繊維により構成される物品に対して、生地の質感を適切に認知可能な照射光量によって物品を撮像することができる。
【００２２】
したがって、本発明のプログラムは、仮想店舗等など繊維により構成される物品を閲覧させる際に、当該物品の厚さ、風合い及び質感をユーザに対して適切に伝えることができる。
【００２３】
（７）上述した課題を解決するため、本発明の画像データ生成方法は、繊維により構成される物品の画像を撮像し、撮像画像に対応する画像データを生成する画像データ生成方法であって、前記物品を被写体とする画像を撮像し、当該撮像した被写体の画像を画像データとして生成する撮像手段を制御し、前記被写体を撮像する際に前記物品に光を照射する照明手段を制御し、前記物品を規定する前記物品の厚さ又は生地の種別毎に、当該物品の厚さ又は当該生地の種別を、質感と同様に、かつ、画像的に認知するための輝度値を含む観察情報が予め記録される記録手段を管理する、ことを含み、前記撮像を要求する物品のシート厚又は生地種別を取得すると、該当する観察情報に基づいて前記照明手段の照射光量を制御し、前記制御された照射光量に基づいて前記被写体となる物品の画像を撮像させる、構成を有している。
【００２４】
この構成より、本発明の画像データ生成方法は、例えば、生地、衣服、カーテン等、繊維により構成される物品に対して、生地の質感を適切に認知可能な照射光量によって物品を撮像することができる。
【００２５】
したがって、本発明の画像データ生成方法は、仮想店舗等など繊維により構成される物品を閲覧させる際に、当該物品の厚さ、風合い及び質感をユーザに対して適切に伝えることができる。
【発明の効果】
【００２６】
本発明の画像データ生成システムなどは、例えば、生地、衣服、カーテン等、繊維により構成される物品に対して、生地の質感を適切に認知可能な照射光量によって物品を撮像することができるので、仮想店舗等など繊維により構成される物品を閲覧させる際に、当該物品の厚さ、風合い及び質感をユーザに対して適切に伝えることができる。
【図面の簡単な説明】
【００２７】
【図１】本発明の一の実施形態における画像データ生成システムの構成を示すシステム構成図である。
【図２】一実施形態の制御用端末装置の構成を示すブロック図である。
【図３】一実施形態の制御用端末装置の観察情報ＤＢに記録される薄さ（ＴＨ）及び厚さ（ＴＫ）に関する観察情報の一例を示す図である。
【図４】一実施形態において観察情報を作成する際の評価実験における評価基準を示す図である。
【図５】一実施形態において観察情報を作成する際の評価実験に用いる各サンプルを説明するための図である。
【図６】一実施形態の撮像画像に基づく生地厚さの評価実験方式を示す図である。
【図７】一実施形態において、各照明条件にてサンプルＮｏ．８を撮像した際に得られる画像を示す図である。
【図８】一実施形態のサンプルＮｏ．１において、撮像画像に基づく観察者の生地の厚さに関する評価実験における評価結果を示す図である。
【図９】一実施形態のサンプルＮｏ．２において、撮像画像に基づく観察者の生地の厚さに関する評価実験における評価結果を示す図である。
【図１０】一実施形態のサンプルＮｏ．３において、撮像画像に基づく観察者の生地の厚さに関する評価実験における評価結果を示す図である。
【図１１】一実施形態のサンプルＮｏ．４において、撮像画像に基づく観察者の生地の厚さに関する評価実験における評価結果を示す図である。
【図１２】一実施形態のサンプルＮｏ．５において、撮像画像に基づく観察者の生地の厚さに関する評価実験における評価結果を示す図である。
【図１３】一実施形態のサンプルＮｏ．６において、撮像画像に基づく観察者の生地の厚さに関する評価実験における評価結果を示す図である。
【図１４】一実施形態のサンプルＮｏ．７において、撮像画像に基づく観察者の生地の厚さに関する評価実験における評価結果を示す図である。
【図１５】一実施形態のサンプルＮｏ．８において、撮像画像に基づく観察者の生地の厚さに関する評価実験における評価結果を示す図である。
【図１６】一実施形態のサンプルＮｏ．９において、撮像画像に基づく観察者の生地の厚さに関する評価実験における評価結果を示す図である。
【図１７】一実施形態のサンプルＮｏ．１０において、撮像画像に基づく観察者の生地の厚さに関する評価実験における評価結果を示す図である。
【図１８】一実施形態のサンプルＮｏ．１１において、撮像画像に基づく観察者の生地の厚さに関する評価実験における評価結果を示す図である。
【図１９】観察情報に関連する視覚的質感評価又は視触覚的質感評価の実験方法を示す図である。
【図２０】サンプル生地の薄さに対する本実施形態の観察情報を取得する際の評価結果と視覚的質感評価又は視触覚的質感評価を比較したグラフである。
【図２１】視覚的質感評価による評価実験に基づく、各サンプル生地の薄さに関する評価結果と、ＫＥＳ厚さとの関係を示すグラフである。
【図２２】視触覚的質感評価による評価実験に基づく、各サンプル生地の薄さに関する評価結果と、ＫＥＳ厚さとの関係を示すグラフである。
【図２３】一実施形態の制御用端末装置４０にて実行される処理を示すフローチャートである。
【発明を実施するための形態】
【００２８】
以下、図面を参照しつつ、本発明の実施形態について説明する。なお、以下の実施形態は、被写体を撮像し、対応する画像データを生成するカメラと、被写体Ｏとなる物品に対して、所定の距離を持って、被写体Ｏに光を照射する２台の照明装置と、オペレータ（システムの操作者）の指示入力に従って、カメラ及び照明装置を制御する制御用端末装置と、を有する画像データ生成システムに対し、本発明に係る、画像データ生成システム、プログラム及び画像データ生成方法を適用した場合の実施形態である。
【００２９】
また、以下の実施形態の説明においては、説明を具体化するため、所定の素材により構成される生地を被写体Ｏとして撮像する場合を例に説明を行う。
【００３０】
［１］画像データ生成システム
本実施形態の画像データ生成システム１は、生地、衣服、及び、カーテン等の繊維により構成されるシート状の物品を撮像する際に、当該物品に照射される照射光の光量を調節することによって撮像画像を生成し、当該生成した撮像画像を、閲覧したユーザによって被写体Ｏの厚さ等を適切に認知可能に当該ユーザに提供するシステムである。
【００３１】
特に、本実施形態の画像データ生成システム１は、撮像された物品を商品情報として、インターネット上の仮想店舗等にて提供することによって、商品情報からユーザが認知する商品イメージを、実際の商品を手にした際にユーザが認知する商品イメージに可能な限り近づけることができるとともに、商品購入時に発生する可能性のある商品イメージに対する齟齬を解消することができるようになっている。
【００３２】
一般に、生地の薄さ（以下、「ＴＨ」という。）に関する評価及び生地の厚さ（以下「ＴＫ」といい、（ＴＨ）と（ＴＫ）を区別する必要が無いときは、単に「厚さ」という。）に関する評価は、人間が実際に見て触れることが基本であるため、人間が評価する生地の厚さを数値的に表現することは難しいとされている。
【００３３】
その一方、布地の厚さの物理的判断は、例えば、Ｋａｗａｂａｔａ  Ｅｖａｌｕａｔｉｏｎ  Ｓｙｓｔｅｍ（以下、「ＫＥＳ」又は「ＫＥＳ実験」という。）による機械的な圧縮試験にて得られる厚さＴ０の計測結果を用いて、風合い評価との関係が明らかにされている。
【００３４】
しかしながら、このＫＥＳにおいては、布地毎に厚さを実際に計測する必要があり、作業コストが大きくなる。また、計測結果としての物理的な厚さ「Ｔ０」と、視覚により、人間が評価する生地の厚さが完全に一致するか否かは未だ解明されていない。したがって、ＫＥＳの実験を行うことなく、画像を視認する観察者が、画像に基づき、生地の厚さを認知できるようにすることが望ましい。
【００３５】
他方、
（Ａ）観察者が、被写体Ｏとなる生地を、視覚のみにより観察した場合に、観察者が認知する生地の厚さ（以下、「視覚的質感評価」という。）と、
（Ｂ）観察者が、被写体Ｏとなる生地を手で触れながら、生地を視覚により観察した場合（以下、「視触覚的質感評価」という。）に、観察者が認知する生地の厚さと、
は後述するように概ね一致することが実験により判明している。
【００３６】
また、視覚的質感評価においては、被写体Ｏの前面から照射される照射光（以下、「前面照射光」という。）の光量（以下、「前面照射光量」という。）を一定（すなわち、生地からの反射光を一定）にした場合に、観察者が認知する生地の厚さは、被写体Ｏの裏面から照射される照射光（以下、「裏面照射光」という。）の光量（具体的には、被写体を透過する透過光の光量（以下、「透過光量」という。））に依存することも実験により明らかになっている。
【００３７】
具体的には、生地の透過光量が少ない場合には、観察者は、生地の厚さが厚いと認知するのに対して、当該透過光量が多い場合には、観察者は、生地が薄いと認知する。この結果、観察者は、透過光量が同一の生地について、厚さが、概ね同じであると認知することも実験により明らかになっている。
【００３８】
そこで、本実施形態の画像データ生成システムは、被写体Ｏの撮像時に、予め記録された被写体Ｏとなる生地の厚さと当該観察者が認知する生地の厚さの評価結果との関係を示す観察情報に基づき、前面照射光の光量と、裏面照射光の光量と、を設定し、被写体Ｏを撮像して画像をすることによって、
（Ａ）視覚で観察した場合に、観察者が認知する生地の厚さと、視覚及び触覚を用いて観察者が認知する生地の厚さと、が同程度になるため、画像を提示して画像化された生地の厚さを識別させること、及び、
（Ｂ）透過光量を調整することにより、生地の厚さを観察者に認知させること、
ができるようになっている。
【００３９】
特に、本実施形態の画像データ生成システム１は、
（１）被写体Ｏとなる生地に照射する前面照射光及び裏面照射光の光量を制御し、
（２）対象となる物品を撮像することによって画像データを生成させ、
（３）生成した画像データを仮想店舗にて提供するために、図示せぬネットワークを介して、他の通信装置（例えば当該仮想店舗を管理運営するサーバ装置等）に送信する、
構成を有している。
【００４０】
そして、本実施形態の画像データ生成システムは、観察情報としては、ＫＥＳ厚さＴ０の異なる複数のサンプル生地に関して、
（ａ）前面照射光の光量と、
（ｂ）裏面照射光の光量と、
（ｃ）観察者が、対象となる物品を観察した場合に、当該観察者が認知する生地の厚さの評価結果と、
の関係を示す情報を用いるようになっている。
【００４１】
具体的には、本実施形態の画像データ生成システム１は、図１に示すように、被写体Ｏとなる生地の撮像面側（すなわち、カメラ３０が設置される面側）に設置され、被写体Ｏの撮像面側から照明光を前面照射光として照射する前面照明装置１０と、物品Ｏの裏面側（すなわち、カメラ３０の設置位置の反対面側）に設置され、被写体Ｏに裏面側から照明光を裏面照射光として照射する裏面照明装置２０と、被写体Ｏの画像を撮像し、当該画像に対応する画像データを生成するカメラ３０と、観察情報を用いて各種の制御を行う制御用端末装置４０と、を有している。
【００４２】
前面照明装置１０及び裏面照明装置２０は、例えば、白熱電球、ＬＥＤ（発光ダイオード）等の光源と、光源に供給する電圧及び電流を制御する制御回路を有し、制御用端末装置４０から供給される制御信号に基づき、光源から被写体Ｏに照射される前面照射光又は裏面照射光の光量を制御する構成を有している。
【００４３】
カメラ３０は、光学システムと、当該光学システムから入力された光学画像を電気信号に変換するＣＣＤＩセンサ（Ｃｈａｒｇｅ  Ｃｏｕｐｌｅｄ  Ｄｅｖｉｃｅ  Ｉｍａｇｅ  Ｓｅｎｓｏｒ）と、ＣＣＤＩセンサ部において生成された電気信号に基づいて画像に対応する画像データを生成する生成部と、を有し、被写体Ｏの画像を撮像し、対応する画像データを生成し、制御用端末装置４０に供給する。なお、カメラ３０は、例えば、本発明の撮像手段を構成する。
【００４４】
制御用端末装置４０は、例えば、パーソナルコンピュータ等のコンピュータシステムであり、被写体Ｏに合わせて、前面照明装置１０、裏面照明装置２０及びカメラ３０を制御して、カメラ３０により生成された画像データをカメラ３０から取得する。また、制御用端末装置４０は、カメラ３０から取得した画像データをオペレータの指示入力に従って、図示せぬ仮想店舗の運営サーバに提供するようになっている。
【００４５】
特に、制御用端末装置４０は、被写体Ｏとなる生地の厚さと同一の厚さを有するサンプル生地における透過光量と同一になるように裏面照射光量を設定する構成を有している。また、制御用端末装置４０は、前面照射光量についても、当該サンプル生地に対する評価時と、同じ値に設定することにより、生地における反射光が観察者に与える影響を除外する構成を有している。
【００４６】
このような構成により、本実施形態の画像データ生成システム１は、視覚のみに基づき生地の厚さを識別させることが的確にできるので、仮想店舗等における商品の販売時に商品の返品等が発生する可能性を排除して、ユーザの満足度を向上させることができるようになっている。
【００４７】
なお、本実施形態においては、裏面照明装置２０の照射光量を調整せずに、ＮＤ（減光）フィルタによって調整してもよい。
【００４８】
［２］制御用端末装置
次に、図２及び図３を用いて本実施形態の制御用端末装置４０の構成について説明する。なお、図２は、本実施形態の制御用端末装置４０の構成を示すブロック図であり、図３は、本実施形態の制御用端末装置４０の観察情報データベース（以下、「観察ＤＢ」という。）４０２に記録される薄さ（ＴＨ）及び厚さ（ＴＫ）に関する観察情報の一例を示す図である。
【００４９】
本実施形態の制御用端末装置４０は、図２に示すように、複数の生地のサンプルに対して画像評価の評価結果の情報（以下、「観察情報」ともいう。）などのデータが記録される記録部４００と、通信インターフェース４１０と、表示部４４０と、表示部４４０に対する画像の表示を制御する表示制御部４５０と、前面照明装置１０及び裏面照明装置２０における照射光量の制御及びカメラ３０を制御するデータ処理部４６０と、操作部４７０と、管理制御部４８０と、を有し、上記の各部は、バスＢによって相互に接続されている。
【００５０】
記録部４００は、例えば、ＨＤＤ（ハードディスクドライブ）又はＳＳＤ（ソリッドステートドライブ）により構成され、その記録領域内に、少なくとも、アプリケーション記録部４０１と、観察情報ＤＢ４０２と、ワークエリアとして機能するＲＡＭ４０４と、が設けられている。
【００５１】
そして、アプリケーション記録部４０１には制御用端末装置４０の駆動に必要な各種のプログラム及び被写体Ｏの画像を撮像するためのアプリケーションが、記録されている。
【００５２】
観察情報ＤＢ４０２には、図３に示すように、サンプル生地毎に、
（１）繊維（以下、「生地」ともいう。）の種別
（１）ＫＥＳ厚さＴ０、
（２）後述する実験によって算出された物品に照射される輝度であって、生地である物品を画像化した際に触覚的にも適切に認知可能な基準となる輝度（以下、「基準輝度」という。）、
（３）基準輝度によって物品に照射するための撮像時の前面照射光及び裏面照射光の制御データ
（４）物品を実際より厚く見せたい場合又は薄く見せたい場合など複数段階（例えば割合）と、各段階に応じて物品に照射する輝度（以下、「調整輝度」ともいう。）を制御するための制御データ（以下、「調整データ」でといい、具体的には、後述する近似関数に基づいて変化させる輝度に応じたデータ）、
が記録されている。
【００５３】
具体的には、基準輝度及び調整輝度は、後述する質感の評価実験（以下、「評価実験」という。）をデータ化し、その結果として算出されたサンプル生地毎の輝度値である。特に、基準輝度及び調整輝度は、前面照射光と背面からの透過光の合算値であり、予め設定された照明の前面照射光及び透過光の輝度値の合計と同一の値となる。なお、評価実験、基準輝度及び調整輝度については後述する。
【００５４】
また、本実施形態の前面照射光及び裏面照射光の制御データ又は調整データは、基準輝度又は調整輝度によって物品に照射するための前面照明装置１０及び裏面照明装置２０を制御するためのデータである。なお、例えば、本実施形態においては、前面照明装置１０からの光量（すなわち、照射光）は固定値にし、裏面照明装置２０の光量を調整するための制御データを用いる。
【００５５】
さらに、調整輝度とは、複数段階（例えば、４段階（薄く、やや薄く、やや厚く、厚く））に対応付けて後述によってサンプル生地毎に算出された近似関数によって定まる輝度であり、オペレータの希望により、物品に対して適切な質感を認識されるための基準輝度ではなく、当該物品の質感をより厚く、又は、より薄く見せたいときに、オペレータの指示に基づいて調整するための輝度である。そして、調整データは、当該調整輝度を物品に照射させるため前面照射光及び裏面照射光を制御するための制御データである。
【００５６】
ＲＡＭ４０４は、合成画像データ生成処理が実行されている際に、ワークエリアとして用いられるとともに、画像バッファとしても機能する。
【００５７】
通信インターフェース４１０は、例えば、ＵＳＢ（Ｕｕｎｉｖｅｒｓａｌ  Ｓｅｒｉａｌ  ｂｕｓ）、無線ＬＡＮ（ＩＥＥＥ８０２．１１ａ、ｂ、ｎ、ａｃ）、ＨＤＭＩ（登録商標（Ｈｉｇｈ  Ｄｅｆｉｎｉｔｉｏｎ  Ｍｕｌｔｉｍｅｄｉａ  Ｉｎｔｅｒｆａｃｅ））等の入出力用インターフェースであり、有線又は無線にて、前面照明装置１０、裏面照明装置２０及びカメラ３０に接続され、これらの装置との間のデータの授受を行うとともに、図示せぬネットワークに接続されて、例えば、図示せぬ仮想店舗の運営サーバ装置にカメラ３０にて撮像された画像の画像データを提供するために用いられる。
【００５８】
表示部４４０は、所定のサイズ（Ｗ１９２０×Ｈ１０８０ピクセル）の画像表示領域を有する液晶素子又はＥＬ（Ｅｌｅｃｔｒｏ  Ｌｕｍｉｎｅｓｃｅｎｃｅ）素子のパネルによって構成され、表示制御部４５０において生成された表示データに基づいて所定の画像を表示する。例えば、表示部４４０は、画像データ生成システム１のオペレータが、被写体Ｏとなる生地の厚さに応じて、利用すべき観察情報を選択するために用いられる。
【００５９】
表示制御部４５０は、管理制御部４８０及びデータ処理部４６０の制御の下、表示部４４０に所定の画像を描画させるために必要な描画データを生成し、生成した描画データを表示部４４０に出力する。
【００６０】
操作部４７０は、キーボード、マウス、タッチパネル等により構成され、観察情報の選択時等にオペレータが、各種の入力操作を行うために用いられる。
【００６１】
管理制御部４８０は、主に中央演算処理装置（ＣＰＵ）によって構成されるとともに、キー入力ポート、表示制御ポート等の各種入出力ポートを含み、制御用端末装置４０にて実行される全般的な処理を総括的に制御する。
【００６２】
データ処理部４６０は、管理制御部４８０と独立した中央演算処理装置（ＣＰＵ）によって構成され、又は、管理制御部４８０の中央演算処理装置（ＣＰＵ）を用いて構成されるとともに、管理制御部４８０による制御の下、プログラムを実行することにより、画像の撮像時に、設定された観察情報に基づき、前面照明装置１０及び裏面照明装置２０から被写体Ｏに照射する照射光量を設定するとともに、当該設定にて、カメラ３０に被写体Ｏの画像を撮像させる。
【００６３】
具体的には、データ処理部４６０は、所定のプログラムを実行することにより、観察情報設定部４６１と、照明制御部４６２と、カメラ制御部４６３と、通信インターフェース４１０を介してカメラにより生成された画像データを外部の装置に提供する画像データ提供部４６４と、を実現し、カメラ３０にて被写体Ｏの画像を撮像するための処理を実行する。
【００６４】
なお、例えば、本実施形態の観察情報設定部４６１は、表示部４４０及び操作部４７０と連動して、本発明の取得手段及び第１の管理手段を実現し、照明制御部４６２及びカメラ制御部４６３は、制御手段を構成する。
【００６５】
観察情報設定部４６１は、画像の撮像時に表示制御部４５０と連動して、ユーザの入力に基づいて、該当する観察情報を観察情報ＤＢ４０２から読み出す。
【００６６】
特に、観察情報設定部４６１は、被写体Ｏとなる生地の厚さの実測値（具体的には、ＫＥＳ厚さＴ０）を入力させるための画面を表示部４４０に表示させつつ、オペレータが操作部４７０に入力したＫＥＳ厚さＴ０を取得する。そして、観察情報設定部４６１は、取得したＫＥＳ厚さＴ０に基づいて、観察情報ＤＢ４０２を検索し、同一のＫＥＳ厚さＴ０又は最近似する値を有するサンプル生地を特定するとともに、当該サンプルに対応する観察情報を観察情報ＤＢ４０２から読み出す。
【００６７】
照明制御部４６２は、観察情報設定部４６１によって読み出された観察情報に基づき、前面照明装置１０及び裏面照明装置２０に制御信号を供給し、前面照射光量及び裏面照射光量を設定する。
【００６８】
なお、本実施形態においては、照明制御部４６２は、決定されたサンプル生地の観察情報の作成時における前面照射光量と同一の光量に前面照射光量を設定しつつ、観察情報に定義された輝度値になるように裏面照射香料を設定する。
【００６９】
カメラ制御部４６３は、照明制御部４６２による、照明の設定後、カメラ３０に制御信号を供給して、被写体Ｏの画像を撮像させる。
【００７０】
［３］観察情報における各サンプルの基準輝度及び調整輝度とそれを算出するための評価実験
次に、図４〜図２２を用いて本実施形態の観察情報における基準輝度及び調整輝度とそれを算出するための評価実験について説明する。
【００７１】
なお、図４は、本実施形態において観察情報を作成する際の評価実験における評価基準を示す図であり、図５は、一実施形態において観察情報を作成する際の評価実験に用いる各サンプルを説明するための図であるとともに、（Ａ）は、各サンプルの生地の種別（以下、「サンプル種別」という。）を示し、（Ｂ）は、各サンプルの画像を示す図である。
【００７２】
また、図６は、本実施形態の撮像画像に基づく生地厚さの評価実験方式を示す図であり、図７は、各照明条件にて、サンプルＮｏ．８を撮像した際に得られる画像を示す図である。
【００７３】
そして、図８〜図１８は、各サンプルの撮像画像に基づく観察者の生地の厚さに関する評価実験における評価結果を示す図であり、図１９は、観察情報に関連する視覚的質感評価又は視触覚的質感評価の実験方法を示す図である。
【００７４】
さらに、図２０は、サンプル生地の薄さに対する本実施形態の観察情報を取得する際の評価結果と視覚的質感評価又は視触覚的質感評価を比較したグラフであり、図２１又は図２２は、視覚的質感評価又は視触覚的質感評価による評価実験に基づく、各サンプル生地の薄さに関する評価結果と、ＫＥＳ厚さとの関係を示すグラフである。
【００７５】
本実施形態の評価実験は、上記の画像データ生成システム１と同様なシステムを用いて実施した評価実験（ただし、ＮＤフィルタを用いた場合）である。そして、本評価実験は、所定の条件の下に、サンプルとなる複数の生地をそれぞれ複数の被験者（観察者）に対して、各観察者が画像を介して認知した薄さ（ＴＨ）及び厚さ（ＴＫ）の評価値と、輝度（透過光量）と、の関係を示す実験である。
【００７６】
特に、本実施形態の評価実験は、サンプルとなる複数の生地をそれぞれ複数の被験者（観察者）に対して、輝度値を変化させて前面及び背面から光が照射されたサンプルの生地において
（設問１）「このサンプルは、薄いと感じますか？」という薄さ（ＴＨ）に関する設問と、
（設問２）「このサンプルは、厚いと感じますか？」という厚さ（ＴＫ）に関する設問と、
の２つの設問を提示するとともに、図４に示すように、
（１）「全くそうではない」、
（２）「あまりそうではない」、
（３）「どちらともいえない」、
（４）「かなりそうである」、
（５）「非常にそうである」、
という５段階評価を実行した際の集計結果である。
【００７７】
なお、本評価実験においては、前面からの照射量を一定にし、かつ、裏面照明装置の照射量を当該裏面照明装置の前面に配置したＮＤフィルタによってその透過光量を変化させることによって実施した実験結果である。したがって、ＮＤフィルタに代えて裏面照明装置の照射光量を直接調整してもよい。
【００７８】
例えば、本実施形態においては、図５（Ａ）及び（Ｂ）に示すように、サンプルの生地の番号（以下、「サンプル番号」という。）「Ｎｏ．１」〜「Ｎｏ．１１」において、１０名程度の被験者（観察者）に対して、上記の５段階評価を実行し、それを集計したものである。
【００７９】
また、本実施形態の評価実験は、図６に示すように、観察者の目から所定の距離（例えば、６０ｃｍ）離れた位置にディスプレイを設置するとともに、カメラ３０にて撮像された画像をディスプレイ上に表示させて複数人（例えば１０人）の観察者に薄さ（ＴＨ）及び厚さ（ＴＫ）の評価を行わせたものである。すなわち、本実施形態の評価実験は、サンプル生地の透過光量を変化させて、それに基づく観察者の質感変化、具体的には、薄く感じるという質感と厚く感じるという質感とをデータ化するものである。
【００８０】
さらに、本実施形態の評価実験は、各サンプルの生地において、以下の照明条件の際に撮影した画像の評価を集計している。特に、以下の照明条件は、サンプル生地がない状態であって、ＮＤフィルタの透過率（ＮＤ透過率）と観察者の位置における光の輝度の関係を以下に示す。
（１）照明条件：輝度（２０６１．０１ｃｄ／ｍ２）／ＮＤ透過率（２３．５０％）
（２）照明条件：輝度（１０３９．３４ｃｄ／ｍ２）／ＮＤ透過率（１３．７０％）
（３）照明条件：輝度（４９８．８９ｃｄ／ｍ２）／ＮＤ透過率（６．５０％）
（４）照明条件：輝度（２４７．２１ｃｄ／ｍ２）／ＮＤ透過率（３．２２％）
（５）照明条件：輝度（１１４．１４ｃｄ／ｍ２）／ＮＤ透過率（１．８８％）
（６）照明条件：輝度（６６．２４ｃｄ／ｍ２）／ＮＤ透過率（０．８９％）
（７）照明条件：輝度（６６５６．０８ｃｄ／ｍ２）／照明あり
（８）照明条件：輝度（５０．１５ｃｄ／ｍ２）／照明なし
（９）照明条件：輝度（３．０３ｃｄ／ｍ２）／背景黒
【００８１】
なお、上記の輝度は、生地が無い状態で計測した結果であり、物品の表面及び裏面の双方（例えば、本実施形態の前面照明装置１０及び裏面照明装置２０）から光が照射される際に、物品の裏面側（観察者に対して逆方向）に照射される照射光量（生地に透過させる基準となる光量）に対する輝度である。
【００８２】
また、「照明あり」とは、ＮＤフィルタを設置せずに、前面照明装置及び裏面照明装置によって光を照射した場合、「照明なし」とは、ＮＤフィルタを設置せずに、前面照明装置のみによって光を照射した場合（裏面照明装置なし）、及び、「背景黒」とは、ＮＤフィルタを設置せずに、暗幕を被写体として設置した状態における前面照明装置のみによって光を照射した場合を示す。
【００８３】
特に、「背景黒」とは、前面照明装置の光が暗幕を反射しない状態において計測された輝度値のであり、被写体において、カメラ側に生地をＮＤフィルタ側に暗幕を設置して撮影した画像ということであり、前面照明装置による光の回り込みをカットした状態を示す。
【００８４】
このような各サンプル生地の裏面からＮＤフィルタを介してサンプル生地の背面に、上記の（１）〜（９）の照明条件によって照射される照射光量「ｚ」を照射した際に、前面のカメラによって各サンプル生地を透過した光の光量を計測した値「ｘ」に基づく各サンプル生地の透過率を下記（式１）によって算出した。すなわち、この透過率とは、サンプル生地を被写体として設置した状態で上記の（１）〜（９）の輝度「ｚ」を裏面側に照射し、各サンプル生地の正面側の輝度値（すなわち、観察者位置における輝度）「ｘ」に基づく透過率である。
【００８５】
【数１】
2016158158.tif 000003
【００８６】
一方、このような条件の下に、撮像位置（すなわち、画像によって物品を観察する観察者の位置）に対する各サンプルの観察位置における輝度に基づく観察者の薄さ（ＴＨ）及び厚さ（ＴＫ）に対する平均を示す評価結果を図８〜図１８に示す。
【００８７】
特に、本実施形態においては、算出した薄さ（ＴＨ）及び厚さ（ＴＫ）の各サンプルにおける評価結果について（式２）で示す式よって近似し、かつ、当該近似式において最小二乗法により各係数「α」、「β」及び「γ」を求めて最適な関数（すなわち、近似関数）を算出する。
【００８８】
そして、当該算出した薄さ（ＴＨ）及び厚さ（ＴＫ）の各関数の交点として算出された点の輝度（すなわち、近似関数における交点のｘの値でＬｏｇ１０換算値）を、各サンプルにおける基準輝度として利用する。ただし、当該算出された基準輝度は、対数換算値であるので、実際には、真数に変換した値を、上記の制御データに対応する基準輝度として用いるとともに、当該基準輝度となるように、前面照射光及び裏面照射光の光量を制御するデータを上記の制御データとして用いる。
【００８９】
【数２】
2016158158.tif 000004
【００９０】
【表１】
2016158158.tif 000005
【００９１】
なお、本実施形態の上記の（式２）の演算においては、最初に最小二乗法によって薄さ（ＴＨ）における各係数（すなわち、（式２）の係数α、β及びγ）を算出するとともに、当該算出した薄さ（ＴＨ）の係数「β」を固定して厚さ（ＴＫ）における（式２）のその他の係数（すなわち、「α」及び「β」）を算出し、薄さ（ＴＨ）及び厚さ（ＴＫ）の２つの近似関数を決定する。そして、当該決定した薄さ（ＴＨ）及び厚さ（ＴＫ）の２つの近似関数に基づいて交点のｘ軸の値を算出するようになっている。
【００９２】
また、「α」は、ｌｏｇの底であり、「β」及び「γ」は、対数におけるｘ軸のずれ及びｙ軸のずれを補正するための係数である。
【００９３】
さらに、本実施形態においては、上記の近似関数によって基準輝度となる交点を求めているが、当該交点を求める式はこれに限られない。例えば、上記以外の近似関数を用いてもよい。そして、これらの交点でなくても、所定の条件を具備する代表点であってもよい。
【００９４】
例えば、サンプルＮｏ．１については、図８に示すように、薄さ（ＴＨ）及び厚さ（ＴＫ）の輝度（観察位置）の近似関数に基づいて、交点のｘ軸の値である基準輝度（ｌｏｇ１０換算値）が、「０．７１３ｃｄ／ｍ２（＝ｌｏｇ１０（Ｘ））」と算出される。そして、当該サンプル１の基準輝度（ｌｏｇ１０換算値）から輝度「Ｘ」を算出し当該算出した基準輝度「Ｘ（サンプル１）」及びそれに制御するための制御データがサンプル１のデータとして観察情報ＤＢ４０２に記録される。
【００９５】
また、本実施形態においては、基準輝度の変化量として薄さ（ＴＨ）及び厚さ（ＴＫ）の一方、又は、双方の近似関数に基づく複数の点を調整輝度として観察情報ＤＢ４０２に記録するとともに、当該近似関数に応じて定まる調整輝度に光量を変化させるために前面照明装置１０及び裏面照明装置２０を制御する調整データを観察情報ＤＢ４０２に記録する。
【００９６】
すなわち、物品などを撮像する際に、実際より厚く見せたい場合、又は、薄く見せたい場合に、当該近似関数に沿って輝度を変化させることによって観察者の視覚特性に応じて輝度を変化させることができるようになっている。なお、薄さ（ＴＨ）及び厚さ（ＴＫ）の一方を用いる場合には、該当する近似関数に沿って変化させればよいし、薄さ（ＴＨ）及び厚さ（ＴＫ）の双方を用いる場合には、基準輝度を基準に、撮像対象を薄く見せたい場合には、薄さ（ＴＨ）の近似関数を用いるとともに、当該撮像対象を厚く見せたい場合には、厚さ（ＴＫ）の近似関数を用いてもよい。
【００９７】
一方、本実施形態においては、上記の評価実験に基づいて観察情報ＤＢ４０２における基準輝度及び制御データを定めているが、これらの評価結果は、以下に示す視覚的質感の評価（視覚的質感評価）と視触覚的質感の評価（視触覚的質感評価）とに一致性があることを前提としている。すなわち、視覚的質感評価及び触覚的質感評価の評価結果が一致し、かつ、それらがＫＥＳ厚さＴ０を適切に評価し得ることから、観察者情報としては、複数の生地のサンプルに対して画像を介した薄さ（ＴＨ）及び厚さ（ＴＫ）の評価結果、具体的には、視覚的質感の評価に基づく薄さ（ＴＨ）及び厚さ（ＴＫ）の評価結果を用いている。
【００９８】
視覚的質感評価としては、図１９（Ａ）に示すように、マネキンの胴体部に各種のサンプル生地を順番に貼り付けていき、各サンプルから所定距離（例えば６０ｃｍ）離れた位置にて観察者が、サンプルを視認して、サンプル生地の（ＴＨ）及び（ＴＫ）を評価したものである。また、視触覚的質感評価の評価結果としては、図１９（Ｂ）に示すように、観察者の手元に、各サンプル生地を順に配置し、各サンプルを観察者が手で触りつつ、視認して、サンプル生地の（ＴＨ）及び（ＴＫ）を評価したものである。なお、両方式における評価結果の均等性を担保する際には、視触覚的質感評価における観察者の目からサンプル生地までの距離は、同一（例えば６０ｃｍ）となるように配置している。
【００９９】
そして、例えば、観察情報としての評価結果を得るときと同様に、上記の設問に対して観察者に評価させた結果においては、表２及び表３、並びに、それらをグラフ化した図２０（Ａ）及び（Ｂ）と図２１及び図２２に示すように、視覚的質感評価及び視触覚的質感評価観察情報の評価結果においては、
（１）ＴＨにおける視覚と視触覚の相関係数「０．８４」
（２）ＴＨにおける平均同士の有意差検定「０．４５」
（３）ＴＫにおける視覚と視触覚の相関係数「０．８５」
（４）ＴＫにおける平均同士の有意差検定「０．４６」
となる。したがって、視覚的質感評価と視触覚的質感評価は、薄さ（ＴＨ）及び厚さ（ＴＫ）とも正の相関があり、かつ、信頼区間外にある確率が５％以上で有意差が無いので、本実施形態においては、その一致性に基づいて上述のような観察情報を用いることが可能である。
【０１００】
【表２】
2016158158.tif 000006
【０１０１】
【表３】
2016158158.tif 000007
なお、表２及び表３、並びに、図２０（Ａ）及び（Ｂ）には、上記のサンプルにおける観察情報と視覚的質感評価の評価結果との比較、及び、上記記のサンプルにおける観察情報と視触覚的質感評価の評価結果との比較を示す。
【０１０２】
また、図２０（Ａ）及び（Ｂ）に示す視覚的質感評価及び触覚的質感評価の評価結果とＫＥＳ厚さＴ０との関係については、図２１及び図２２に示すような結果が得られ、薄さ（ＴＨ）及び厚さ（ＴＫ）の各々に対応する評価結果と、ＫＥＳ厚さＴ０と、の相関を求めると正の相関を得ることができるので、これらの評価結果が、ＫＥＳ厚さＴ０を適切に評価し得ることが分かる。
【０１０３】
特に、図２１（Ａ）及び（Ｂ）に示す薄さ（ＴＨ）及び厚さ（ＴＫ）の各々に対応する視覚的質感評価の評価結果とＫＥＳ厚さＴ０との関係を示すグラフ中において近似関数として図中の直線で示し、そのときにおける「相関係数：Ｒ」を算出すると、薄さ（ＴＨ）の評価結果とＫＥＳ厚さＴ０の間では、「Ｒ＝０．５８」、厚さ（ＴＫ）の評価結果とＫＥＳ厚さＴ０との間では、「Ｒ＝０．５７」となり、いずれの評価結果についても、ＫＥＳ厚さＴ０と正の相関があることが分かる。
【０１０４】
なお、図２２（Ａ）及び（Ｂ）に示す薄さ（ＴＨ）及び厚さ（ＴＫ）の各々に対応する触覚的質感評価の評価結果とＫＥＳ厚さＴ０との関係を示すグラフ中において近似関数として図中の直線で示し、そのときにおける「相関係数：Ｒ」を算出すると、薄さ（ＴＨ）の評価結果とＫＥＳ厚さＴ０の間では、「Ｒ＝０．５７」、厚さ（ＴＫ）の評価結果とＫＥＳ厚さＴ０との間では、「Ｒ＝０．６０」となり、いずれの評価結果についても、ＫＥＳ厚さＴ０と正の相関があることが分かる。
【０１０５】
したがって、観察者が、被写体Ｏとなる生地を、視覚のみにより観察した場合に、観察者が認知する生地の厚さ（すなわち、視覚的質感評価）と、観察者が、被写体Ｏとなる生地を手で触れながら、生地を視覚により観察した場合（すなわち、視触覚的質感評価）に、観察者が認知する生地の厚さとは一致する。
【０１０６】
よって、視覚で観察した場合に、観察者が認知する生地の厚さと、視覚及び触覚を用いて観察者が認知する生地の厚さと、が同程度になるため、画像を提示して、視覚のみに基づき生地の厚さを識別させることができる可能性であり、透過光量（すなわち、物品の裏面からの照射光量）を調整することにより、生地の厚さを観察者に認知させることが可能であると想定されるので、上記のような評価結果（すなわち、視覚的質感評価）を用いても適切な評価の情報として本実施形態に用いることができる。
【０１０７】
［４］画像データ生成システムの動作
次に図２２を参照しつつ、本実施形態の画像データ生成システムの動作について説明する。なお、図２２は、被写体Ｏとなる生地の画像を撮像する際に、制御用端末装置４０にて実行される処理を示すフローチャートである。
【０１０８】
本動作においては、制御用端末装置４０の記録部４００に観察情報が記録されているものとする。
【０１０９】
まず、観察情報設定部４６１は、操作部４７０に対するオペレータにおける撮像指示を検出すると（ステップＳ１０１）、アプリケーション記録部４０１から画像撮像用のアプリケーションを読み出し、表示制御部４５０と連動して、表示部４４０にＫＥＳ厚さＴ０又は生地の種別を入力させるための設定画面を表示させ、オペレータによる入力操作を待機する状態に移行する（ステップＳ１０２）。なお、例えば、やや薄くする、薄くする、やや厚くする、厚くするなどの画像上の質感を変更する調整（すなわち、輝度調整）を行う場合の設定画面を含めてもよい。
【０１１０】
次いで、観察情報設定部４６１は、操作部４７０を介してオペレータの操作に基づく被写体Ｏとなる生地のＫＥＳ厚さＴ０又は生地の種別を検出すると（ステップＳ１０３）、入力された厚さＴ０の値又は該当する生地の種別を有するサンプルデータを特定し、当該サンプルデータに対応付けて記録されている観察情報を読み出す（ステップＳ１０４）。なお、本実施形態においては、質感を変更する輝度調整を行う場合には、該当する調整データを観察情報から取得する。
【０１１１】
次いで、照明制御部４６２は、当該観察情報に含まれる制御データ（又は調整データ）に基づいて、前面照明装置１０の設定と同一の設定となるように前面照射光の光量を設定して、前面照明装置１０を駆動させる（ステップＳ１０５）。なお、観察情報作成時における前面照明装置１０の電圧等の設定をデフォルト設定としておき、前面照射光量については、当該デフォルト設定にて、照明装置１０を駆動させることにより、前面照射光量を設定するようにしてもよい。
【０１１２】
次いで、照明制御部４６２は、制御データ（又は調整データ）に基づいて、裏面照射光量を設定し、裏面照明装置２０を駆動させる（ステップＳ１０６）。具体的には、照明制御部４６２は、代表輝度値に基づき、同一又は同一と判定される所定の範囲内の照射光量となるように裏面照明装置２０を制御する。
【０１１３】
最後に、照明制御部４６２は、カメラ制御部４６３と連動しつつ、カメラ３０に被写体Ｏの画像を撮像させて（ステップＳ１０７）、本動作を終了させる。
【０１１４】
以上説明したように、本実施形態の画像データ生成システム１においては、当該被写体Ｏとなる生地の厚さと同一の厚さを有するサンプル生地における照射光量（具体的には、裏面からの照射光量）と同一になるように制御用端末装置４０が裏面照射光量を決定し、当該決定された裏面照射光量にて、裏面照明装置２０を駆動する構成になっている。
【０１１５】
また、このとき、制御用端末装置４０は、前面照射光量についても、当該サンプル生地に対する評価時と、同じ値に設定することにより、生地における反射光が観察者に与える影響を除外するようになっている。
【０１１６】
この構成により、本実施形態の画像データ生成システム１は、撮像画像を視認したユーザが、当該画像に基づき、被写体Ｏとなる生地の厚さを適切に認知することが可能となる。
【０１１７】
［５］変形例
［５．１］変形例１
上記実施形態においては、被写体Ｏの生地の厚さに応じて、前面照射光量及び裏面照射光量を設定する構成としたが、撮像画像に与える画像効果の撮影モードを設け、オペレータの指示に基づいて設定された撮像モードによって、カメラ３０における、露光時間、シャッタースピード等を変化させるようにしてもよい。
【０１１８】
例えば、「映画調」、「販売用」、「夜景調」又は「晴天調」などの幾つかの撮像モードを設け、これらの撮像モードにて撮像するためのカメラ３０の設定情報を制御用端末装置４０に記録させる。そして、設定画面上にて設定されたオペレータの選択によって、当該撮像モードを読み出して、カメラ３０における、露光時間、シャッタースピード等を変化させる。なお、撮像モードに応じて、制御用端末装置４０が、撮像画像を編集するようにしてもよい。
【０１１９】
［５．２］変形例２
また、上記実施形態においては、生地の表面における反射率及び反射光量については、考慮していないが、生地の反射率を予め求め、当該反射率に応じて、サンプル生地に対して裏面側から透過する量に基づいて、前面照射光の光量を調整するようにしてもよい。
【０１２０】
［５．３］変形例３
また、上記実施形態においては、制御用端末装置４０に各種のデータを記録させ、前面照明装置、裏面照明装置、及びカメラ３０を制御する構成としたが、観察情報ＤＢ４０２及びサンプルデータは、別個のコンピュータシステムにより、管理し、必要に応じて、制御用端末装置４０がこれらのコンピュータシステムから情報を取得するようにしてもよい。
【符号の説明】
【０１２１】
１  …  画像データ生成システム
１０  …  前面照明装置
２０  …  裏面照明装置
３０  …  カメラ
４０  …  制御用端末装置
４００  …  記録部撮像装置
４０１  …  アプリケーション記録部
４０２  …  観察情報ＤＢ
４０４  …  ＲＡＭ
４１０  …  通信インターフェース
４４０…  表示部
４５０…  表示制御部
４６０…  データ処理部
４６１…  観察情報設定部
４６２…  照明制御部
４６３…  カメラ制御部
４６４…  画像データ提供部
４７０  …  操作部
４８０  …  管理制御部
【図１】
2016158158.tif 000008
【図２】
2016158158.tif 000009
【図３】
2016158158.tif 000010
【図４】
2016158158.tif 000011
【図２３】
2016158158.tif 000012
【図５】
2016158158.tif 000013
【図６】
2016158158.tif 000014
【図７】
2016158158.tif 000015
【図８】
2016158158.tif 000016
【図９】
2016158158.tif 000017
【図１０】
2016158158.tif 000018
【図１１】
2016158158.tif 000019
【図１２】
2016158158.tif 000020
【図１３】
2016158158.tif 000021
【図１４】
2016158158.tif 000022
【図１５】
2016158158.tif 000023
【図１６】
2016158158.tif 000024
【図１７】
2016158158.tif 000025
【図１８】
2016158158.tif 000026
【図１９】
2016158158.tif 000027
【図２０】
2016158158.tif 000028
【図２１】
2016158158.tif 000029
【図２２】
2016158158.tif 000030